(57)【特許請求の範囲】
【請求項１】
水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、
前記水素含有水製造用スティックは、マグネシウム、黒曜石、トルマリン、抗菌砂及び風化サンゴを水との接触が可能な容器に収容した構成とし、
該水素含有水製造用スティックが前記上槽と前記下槽の連通口を隠蔽しないことを特徴とし、前記上槽で生成された水素含有水を、この下槽に貯留する構成とした水素含有水製造装置。
【請求項２】
水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、
前記水素含有水製造用スティックは、マグネシウム、黒曜石、トルマリン、抗菌砂及び風化サンゴを不織布でなる袋に収容した構成とし、
該水素含有水製造用スティックが前記上槽と前記下槽の連通口を隠蔽しないことを特徴とし、
前記上槽で生成された水素含有水を、この下槽に貯留する構成とした水素含有水製造装置。
【請求項３】
請求項１又は請求項２に記載の水素含有水製造装置において、その水素含有水製造スティックは、重量％で、マグネシウム１５、黒曜石１５、トルマリン１５、抗菌砂３０、風化サンゴ２５とした構成の水素含有水製造装置。
【発明の詳細な説明】
【０００１】
【産業上の利用分野】
本発明は、水素含有水製造装置に関する。
【０００２】
【従来の技術】
従来、この種の水素含有水製造装置としては、特開２０００−１７６４６５の活性水素を有する水の製造方法及び製造装置（文献とする）がある。その内容は、タンクと黒曜石か水晶の少なくとも一つから構成される岩石を収納した第１岩石収納器とを連結し、第１岩石収納器と岩石を収納した第２岩石収納器とを連結し、また第２岩石収納器とタンクとを連結し、ポンプを介してタンク内の水を第１岩石収納器と第２岩石収納器の岩石に通し、この岩石を通した水をタンクに戻し、水を岩石に何度も循環させることで、水に活性水素を含有することを意図する構成であり、例えば、タンクと、岩石を収納した第１岩石収納器並びに第２岩石収納器との間で水を循環し、岩石が少量で済ますこと、又は水道水等の飲料に使用する水を、活性水素を含む飲料水に変換すること、及びこの活性水素を含む飲料水を、大量かつ簡単に製造する方法と装置を提供すること、等を意図する。
【０００３】
【発明が解決しようとする課題】
前記文献は、活性水素を有する水（飲料水）の生成には適する。しかし、装置を構成する部材（部品）の構造、又は配置等を考慮した場合には、大型の企業用としての製造方法であり、また製造装置である。
【０００４】
従って、本発明が意図する目的、例えば、家庭用としての簡易な使用、又は低コストでの使用等を意図した場合には、構造、配置等面で問題である。殊に、家庭に常備して、毎日使用するには、全く不向きである。
【０００５】
【課題を解決するための手段】
請求項１の発明は、家庭用としての簡易な使用、又は低コストでの使用等に最適な水素含有水製造装置の提供と、殊に家庭に常備して、毎日使用するに適する構造、配置等に工夫を凝らした水素含有水製造装置の提供とを意図する。
【０００６】
請求項１は、水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、前記水素含有水製造用スティックは、マグネシウム、黒曜石、トルマリン、抗菌砂及び風化サンゴを水との接触が可能な容器に収容した構成とし、該水素含有水製造用スティックが前記上槽と前記下槽の連通口を隠蔽しないことを特徴とし、前記上槽で生成された水素含有水を、この下槽に貯留する構成とした水素含有水製造装置である。
【０００７】
請求項２の発明は、家庭用としての簡易な使用、又は低コストでの使用等に最適な水素含有水製造装置の提供と、殊に家庭に常備して、毎日使用するに適する構造、配置等に工夫を凝らした水素含有水製造装置の提供とを意図する。
【０００８】
請求項２は、水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、前記水素含有水製造用スティックは、マグネシウム、黒曜石、トルマリン、抗菌砂及び風化サンゴを不織布でなる袋に収容した構成とし、該水素含有水製造用スティックが前記上槽と前記下槽の連通口を隠蔽しないことを特徴とし、前記上槽で生成された水素含有水を、この下槽に貯留する構成とした水素含有水製造装置である。
【０００９】
請求項３の発明は、請求項１又は請求項２の目的を達成しつつ、清澄化された飲料水（水素水）を生成するに最適な水素含有水製造装置の提供とを意図する。
【００１０】
請求項３の発明は、請求項１又は請求項２に記載の水素含有水製造装置において、その水素含有水製造スティックは、重量％で、マグネシウム１５、黒曜石１５、トルマリン１５、抗菌砂３０、風化サンゴ２５とした構成の水素含有水製造装置である。
【００１１】
【発明の実施の形態】
以下、本発明の実施の態様（形態）を説明する。水素含有水製造装置を構成する上槽の蓋を外して、例えば、水道水、飲料水等の水を上槽に投入する。この投入の過程で、上槽に設けた各種機能を備えた多重かつ交換式のフィルターを介して清澄化、又は各種のミネラル成分、イオン成分等を含んだ水（アルカリイオン水、ミネラル磁化水、又はマイナスイオン水「処理水とする」）に変換されて、順次滴下（流下）された後、上槽の底面に滞留し、この底面に設けた水素含有水製造用スティックと接触することにより、水素含有水に変換される。即ち、処理水は、スティック内のマグネシウム、黒曜石、トルマリン、抗菌砂、風化サンゴ等に接触することで、水素含有水となり、上槽から下槽のタンク等に向って流れる（流下する）。この流下の過程で、必要により再度フィルターを利用して清澄化することも可能である。
【００１２】
下槽に到った水素含有水は、ヒータにより加温するか、又は冷却器により冷却、或いは常温に保持して、飲料水、料理水、又は他の用途の水として利用する。例えば、飲料水として利用した場合には、体内の活性酵素（老廃物）を消して、体内の細胞・血液・腸内微生物・皮膚・毛髪等の活性化、等に寄与できる。また病気、機能障害等の根源となる活性酵素を消して、健康な生活を満喫できること、病気の治癒に役立つこと、等の特徴がある。
【００１３】
前述の如く、加温又は冷却することで、水素含有水の保存と、飲料、又は料理等に適した状況と、この水素含有水の最適でかつ効果的な使用が図れる特徴がある。
【００１４】
尚、下槽には水素含有水の排水口を設けて、自由に開放又は閉塞する構成とする。尚、上下槽を切離し可能として、清掃、携帯、又は収納に容易化、簡便化等に利用する構成もあり得る。また上下槽に取手、又はハンドル等の付帯手段を設けて、搬送、取扱いの容易化、安全性等の向上に役立てる。
【００１５】
【実施例】
以下、本発明の一実施例を説明する。
【００１６】
１は水素含有水製造装置で、この水素含有水製造装置１は、蓋２と開口３とを備えた上槽１００と、ヒーター４と、冷却器５、及び開閉自在の排水口６０を備えたタンク６と、スイッチ７とを備えた下槽１０１とで構成される。この上下槽１００、１０１は着脱自在に構成されており、それぞれ図示しない取手を介して自由に移動又は持ち運びできる。尚、上槽１００は透明として、機構の視認と、水の純粋化等の確認を図り、また下槽１０１は半透明・不透明等として、機構の非視認と、水の保存性の確保等を図り、使用の利便性に寄与する。またスイッチ７は、音声による切替も可能として、障害者の利便性に役立てることも可能である。この例では、下槽１０１には、コップ等の容器を載置できるスペースがあり、このスペースに容器を載せた後に、スイッチ７を操作して充填する。また図中１０２は上槽１００の仕切り部であり、この仕切られた空間に水を充填する。
【００１７】
図中１０３は連通口である。尚、ヒーター４と、冷却器５が特徴を発揮できることは前述の通りであって、必要により設けられる。尚、開口３より水を投入し、タンク６（下槽１０１）の排水口６０より水素含有水を取出す構成である。
【００１８】
前記上槽１００の仕切り部１０２に設けた活性炭、鉱石セラミック、濾過用フィルター、又は麦飯石充填フィルター等で構成されている多重フィルター１０で、この仕切り部１０２に架承されている。従って、投入された水は、先ず、この多重フィルター１０を介して濾過及び／又は栄養・機能・治癒等の成分が付加される。この多重フィルター１０を介して清澄化、又は各種のミネラル成分、イオン成分等を含んだ処理水を生成する。尚、この多重フィルター１０の中で、必要とする一部のフィルター１０００を、前記連通口１０３に設けて、再度、成長化、又は成分を付加する場合もあり得る。
【００１９】
前記上槽１００には、不織布でなる袋１１００にマグネシウム（ａ）、黒曜石（ａ）、トルマリン（ｂ）、抗菌砂（ｃ）、風化サンゴ（ｄ）等を充填した水素含有水製造用スティック１１が設けられており、この例では、円形状の容器１２に間隔をおいて３個〜数個設けられており、この容器１２には透孔、メッシュ等の水の進入を許す手段（図示せず）が設けられており、水との十分な接触が可能な構成となっている。尚、前記マグネシウム（ａ）、黒曜石（ｂ）、トルマリン（ｃ）、抗菌砂（ｄ）、風化サンゴ（ｅ）等は、隙間及び／又は不織布でなる袋１１００とを介して水との十分な接触が図れる構成となっている。この隙間は、水との十分な接触を意図して設けられている。またこの水素含有水製造用スティック１１は、容器１２内に入替え自由である。そして、円形状の容器１２は、連通口１２を隠蔽せず、上槽１００の底面に設置する。尚、水素含有水製造用スティック１１は、通常の器、容器等に、１個又は数個設置し、水素含有水の生成に役立てることも可能である。
【００２０】
尚、上槽１００の多重フィルター１０と水素含有水製造用スティック１１は、図示の例が、水の処理、水素含有水製造用スティック１１等の設置、又は交換等の容易化の面から有効である。しかし、この例に限定されず、例えば、水素含有水製造用スティック１１を上、多重フィルター１０を下に設けた例、これらを併設した例等もあり得る。
【００２１】
【発明の効果】
請求項１の発明は、水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、前記水素含有水製造用スティックは、マグネシウム、黒曜石、トルマリン、抗菌砂及び風化サンゴを水との接触が可能な容器に収容した構成とし、該水素含有水製造用スティックが前記上槽と前記下槽の連通口を隠蔽しないことを特徴とし、前記上槽で生成された水素含有水を、この下槽に貯留する構成とした水素含有水製造装置である。従って、家庭用としての簡易な使用、又は低コストでの使用等に最適な水素含有水製造装置の提供と、殊に家庭に常備して、毎日使用するに適する構造、配置等に工夫を凝らした水素含有水製造装置の提供とが図れる特徴がある。
【００２２】
請求項２の発明は、水を投入できる上槽と、この上槽の仕切り部に設けた活性炭、鉱石セラミック、濾過用フィルター、又は麦飯石充填フィルターでなるフィルター、及びこのフィルターの下方に設けた水素含有水製造用スティックと、この上槽の下方に設けた下槽とで構成する水素含有水製造装置であって、前記水素含有水製造用スティックは、マグネシウム、黒曜石、トルマリン、抗菌砂及び風化サンゴを不織布でなる袋に収容した構成とし、該水素含有水製造用スティックが前記上槽と前記下槽の連通口を隠蔽しないことを特徴とし、前記上槽で生成された水素含有水を、この下槽に貯留する構成とした水素含有水製造装置である。従って、請求項１の目的を達成しつつ、水素含有水を生成するに最適な水素含有水製造装置を提供できる実益がある。
【００２３】
請求項３の発明は、請求項１又は請求項２に記載の水素含有水製造装置において、その水素含有水製造スティックは、重量％で、マグネシウム１５、黒曜石１５、トルマリン１５、抗菌砂３０、風化サンゴ２５とした構成の水素含有水製造装置である。従って、請求項１又は請求項２の目的を達成しつつ、清澄化された飲料水（水素水）を生成するに最適な水素含有水製造装置の提供とを意図する。
【００２４】
【図面の簡単な説明】
【図１】本発明の水素含有水製造装置の一例を示す一部欠截の模式図
【図２】図１の要部断面図
【図３】本発明の水素含有水製造用スティックを一部欠截して示す正面図
【符号の説明】
１          水素含有水製造装置
１００      上槽
１０１      下槽
１０２      仕切り部
１０３      連通口
２          蓋
３          開口
４          ヒーター
５          冷却器
６          タンク
６０        排水口
７          スイッチ
１０        多重フィルター
１０００    フィルター
１１００    不織布でなる袋
１１        水素含有水製造用スティック
１２        容器
ａ          マグネシウム
ｂ          黒曜石
ｃ          トルマリン
ｄ          抗菌砂
ｅ          風化サンゴ
【図１】
0004069178.tif 000002
【図２】
0004069178.tif 000003
【図３】
0004069178.tif 000004